(57)【特許請求の範囲】
【請求項１】
シャッターケースは、シャッターケースの両端部位を、建物の外壁に固定された一対の保持部材を介して外壁に取り付けられており、
前記シャッターケースの上面ケース板の外壁側の端部には垂直片が形成されており、
前記シャッターケースには、上面ケース板の長さ方向に沿って延びる長尺状の補強板材が設けてあり、当該補強板材は、前記上面ケース板よりも肉厚が大きい板材から形成されており、前記上面ケース板の垂直片に外壁側から重なるように当接する上側の垂直補強片と、下側の係止片と、を備え、
前記保持部材は、前記係止片が係止する被係止片を備えており、当該被係止片は外壁から離間する方向に延出する底片と、当該底片の先端に形成された立ち上がり片と、からなり、前記係止片は、当該係止片の下端が前記被係止片の底片上に当接することで、前記被係止片に係止するようになっており、前記底片は、前記係止片が前記被係止片の底片の先端側に係止した状態では、前記垂直補強片と前記外壁とが、弾性変形前の乾式シーリング材の断面寸法よりも大きい距離だけ離間対向するような外壁からの突出寸法を備えており、
前記シャッターケースが前記外壁に取り付けられた状態において、前記係止片の下端が前記被係止片の底片の基端側に位置して当該底片上に当接しており、前記上面ケース板の垂直片の外壁側に重なる前記垂直補強片と、前記外壁と、の間には薄肉状に弾性変形した乾式シーリング材が挟持されている、外壁取り付けシャッターの防水構造。
【請求項２】
前記薄肉状に弾性変形した乾式シーリング材は、
前記係止片が前記被係止片の底片の先端側に係止した状態で前記垂直補強片と前記外壁の少なくとも一方に位置決め接着されている乾式シーリング材を、前記係止片を前記底片にガイドさせながら前記シャッターケースを外壁に向かって移動させることで前記垂直補強片と前記外壁との間で押し潰すようにして弾性変形させてなる、請求項１に記載の外壁取り付けシャッターの防水構造。
【請求項３】
前記上面ケース板の垂直片、前記補強板材の垂直補強片、前記薄肉状に弾性変形した乾式シーリング材は、前記外壁に対して螺子で一体的に固定されている、請求項１、２いずれかに記載の外壁取り付けシャッターの防水構造。
【請求項４】
前記上面ケース板の前記垂直片の上端には、当該垂直片の上端に連結された下片と、前記垂直補強片の上側を覆うカバー片と、を備えた化粧片が設けてあり、前記下片には排水孔が形成されている、請求項１〜３いずれかに記載の外壁取り付けシャッターの防水構造。
【請求項５】
前記建物の外壁は、パネルから構成されており、前記シャッターケースは、前記外壁を建物躯体に取り付ける前に当該外壁に先付けされている、請求項１〜４いずれかに記載の外壁取り付けシャッターの防水構造。
【発明の詳細な説明】
【技術分野】
【０００１】
本発明は、外壁に取り付けられるシャッターの防水構造に係り、典型的な態様では窓シャッターの防水構造に関するものである。
【背景技術】
【０００２】
窓シャッターは、窓開口部の屋外側に位置して建物の外壁に取り付けることで、窓開口部の屋外側を開閉するシャッターである。窓シャッターのシャッターケースは、シャッターケースの両端部位を、建物の外壁に固定された一対の保持部材に取り付けることで外壁に設けられることから、シャッターケースのケース上面板と外壁とが接する部分に防水を施す必要がある。
【０００３】
従来では、シャッターケースの上面ケース板の基端側（外壁に近い側）と外壁との間に湿式のシーリング材を現場で充填することで防水構造を提供している。より具体的には、図１０に示すように、上面ケース板の基端側と外壁との間に当該上面ケース板の長さ方向に延びる受け部を形成し、受け部に現場で湿式のシーリング材を充填するようになっている。特許文献１にも類似の防水構造が開示されている。
【０００４】
しかしながら、現場でのシーリングは天候や作業者の技能によって左右されるため、安定した品質を確保することが難しいという課題がある。
【０００５】
また、建物の外壁が工場で製作されるパネルから形成される場合には、窓シャッター装置を工場でパネルに先付けできれば、現場施工の効率化を図ることができる。しかしながら、従来の現場で用いるシーリング材は湿式であり硬化するまで時間を要することから、これを工場で施工するとなれば、むしろ生産性が悪くなってしまう。
【特許文献１】特開２０１０−１０１０８９
【発明の開示】
【発明が解決しようとする課題】
【０００６】
本発明は、天候や作業者の技能によって左右されることなく安定した防水性能を確保できる外壁取り付けシャッターの防水構造を提供することを目的とするものである。
【課題を解決するための手段】
【０００７】
本発明が採用した技術手段は、
シャッターケースは、シャッターケースの両端部位を、建物の外壁に固定された一対の保持部材を介して外壁に取り付けられており、
前記シャッターケースの上面ケース板の外壁側の端部には垂直片が形成されており、
前記シャッターケースには、上面ケース板の長さ方向に沿って延びる長尺状の補強板材が設けてあり、当該補強板材は、前記上面ケース板よりも肉厚が大きい板材から形成されており、前記上面ケース板の垂直片に外壁側から重なるように当接する上側の垂直補強片と、下側の係止片と、を備え、
前記保持部材は、前記係止片が係止する被係止片を備えており、当該被係止片は外壁から離間する方向に延出する底片と、当該底片の先端に形成された立ち上がり片と、からなり、前記係止片は、当該係止片の下端が前記被係止片の底片上に当接することで、前記被係止片に係止するようになっており、前記底片は、前記係止片が前記被係止片の底片の先端側に係止した状態では、前記垂直補強片と前記外壁とが、弾性変形前の乾式シーリング材の断面寸法よりも大きい距離だけ離間対向するような外壁からの突出寸法を備えており、
前記シャッターケースが前記外壁に取り付けられた状態において、前記係止片の下端が前記被係止片の底片の基端側に位置して当該底片上に当接しており、前記上面ケース板の垂直片の外壁側に重なる前記垂直補強片と、前記外壁と、の間には薄肉状に弾性変形した乾式シーリング材が挟持されている、外壁取り付けシャッターの防水構造、である。
【０００８】
１つの態様では、前記薄肉状に弾性変形した乾式シーリング材は、
前記係止片が前記被係止片の底片の先端側に係止した状態で前記垂直補強片と前記外壁の少なくとも一方に位置決め接着されている乾式シーリング材を、前記係止片を前記底片にガイドさせながら前記シャッターケースを外壁に向かって移動させることで前記垂直補強片と前記外壁との間で押し潰すようにして弾性変形させてなる。
【０００９】
１つの態様では、前記上面ケース板の垂直片、前記補強板材の上側垂直補強片、前記薄肉状に弾性変形した乾式シーリング材は、前記外壁に対して螺子で固定されている。
【００１０】
１つの態様では、前記上面ケース板の前記垂直片の上端には、当該垂直片の上端に連結された下片と、前記垂直補強片の上側を覆うカバー片と、を備えた化粧片が設けてあり、前記下片には排水孔が形成されている。１つの態様では、前記化粧片は、下片、正面片、上片とから断面視略コ字状に形成されている。
【００１１】
１つの態様では、前記建物の外壁は、パネルから構成されており、前記シャッターケースは、前記外壁を建物躯体に取り付ける前に当該外壁に先付けされている。
【発明の効果】
【００１２】
本発明では、シーリング材として乾式シーリング材を用い、当該乾式シーリング材を補強板材の垂直補強片を用いて薄肉状に弾性変形させて防水構造を形成することで、品質の安定した防水構造を提供することができる。
乾式シーリング材を用いることで、シーリング材の硬化時間を無くすことができ、建物の外壁がパネルから構成されるような場合に、外壁を建物躯体に取り付ける前に工場でシャッターケースを外壁に取り付けることが可能となる。
補強板材の係止片が保持部材の被係止片の底片の先端側に係止した状態では、垂直補強片と外壁とが、弾性変形前の乾式シーリング材の断面寸法よりも大きい距離だけ離間対向するので、前記垂直補強片と前記外壁の少なくとも一方に乾式シーリング材を位置決め接着し、前記係止片を前記底片にガイドさせながらシャッターケースを外壁に向かって移動させることで、前記垂直補強片と前記外壁との間で乾式シーリング材を安定的に押し潰して弾性変形させることができ、もって品質の安定した防水構造を提供することができる。
また、補強板材は、１つの部材でありながら、上面ケース板の垂直片を補強しつつ乾式シーリング材を押圧する機能（垂直補強片）と、保持部材の被係止片に係止されかつガイドされる機能（係止片）の２つの機能を備えている。
【００１３】
薄肉状に弾性変形した乾式シーリング材が上方にはみ出した場合であっても、化粧片によって隠蔽されると共に、化粧片のカバー片と外壁との隙間から浸入した雨水は化粧片の下片に形成した排水孔から上面ケース板上に排出されるので、化粧片の内部に雨水が溜まることが防止される。
【図面の簡単な説明】
【００１４】
【図１】外壁に取り付けられた窓シャッターの側面図である。
【図２】図１におけるＡ部分の拡大図である。
【図３】シャッターケース（サイドカバーを除く）、保持部材、補強板材のみを示す側面図である。
【図４】シャッターケースの正面図である。
【図５】図３における矢視に沿う内観図である。
【図６】外壁に乾式シーリング材を接着保持させた態様を示す図である。
【図７】窓シャッターのシャッターケースの取り付け及び防水構造の形成を説明する図である（乾式シーリング材をシャッターケースに設けた場合）。
【図８】窓シャッターのシャッターケースの取り付け及び防水構造の形成を説明する図である（乾式シーリング材を外壁に設けた場合）。
【図９】本実施形態の防水構造における雨水の排水を説明する図である。
【図１０】従来の窓シャッターの防水構造の形成を説明する図である。
【発明を実施するための形態】
【００１５】
本発明の実施形態を図面に基づいて詳細に説明する。図１に示すように、建物の外壁Ｗには、窓開口部の屋外側部位を開閉するように窓シャッター装置が取り付けられる。窓シャッター装置は、窓開口部の上方に位置して外壁Ｗに取り付けられるシャッターケース１と、シャッターケース１内にシャッターケース１の長さ方向に沿って設けられた巻取シャフト２と、上端を巻取シャフト２に連結してなるシャッターカーテン３と、窓開口部の左右に位置して外壁Ｗに取り付けられる左右のガイドレール４（ガイドレール下地材４０を介して取り付けられる）と、を備えている。シャッターカーテン３が巻取シャフト２に巻装された収納姿勢となることで窓開口部が開放され、シャッターカーテン３が巻取シャフト２から垂下して垂直姿勢となることで窓開口部が閉鎖される。建物の外壁Ｗは複数のパネルＰを建物躯体に張設することで形成されている。
【００１６】
図１、図３、図４に示すように、開口幅方向に延びるシャッターケース１は、シャッターケース１の幅方向の左右の側面を形成する左右のブラケット５と、上面ケース板６と、正面ケース板７と、下面ケース板８と、を備えている。左右のブラケット５間にはシャッターカーテン３を巻き取り・繰り出すための巻取シャフト２が支持されている。左右のブラケット５間には複数本の横材１１が架け渡してあり、薄板からなるケース板６、７、８を補強している。下面ケース板８は、シャッターカーテン３が通過するための開口８０を形成するような寸法・形状となっている。シャッターケース１の幅方向の左右の側面には左右のブラケット５を覆うようにサイドカバー１２が取り付けられている。
【００１７】
ブラケット５は、外壁Ｗと略平行する基端部５０と、外壁Ｗに対して持ち出し状に略垂直に延びる面部５１と、を備えると共に、さらに、基端側に位置して、上側の水平片５２、下側の水平片５３を備えている。上側の水平片５２、下側の水平片５３は、基端部５０から持ち出し状に形成しても、あるいは、面部５１の基端側から持ち出し状に形成してもよい。
【００１８】
建物の外壁Ｗには、シャッターケース１を保持するための保持部材９が設けてある。保持部材９は、ガイドレール下地材４０の上方で、シャッターケース１の左右両端部、すなわち、左右のブラケット５に対応する位置に螺子１３等を用いて固定されている。
【００１９】
保持部材９は、縦長方形状の板材からなる面部９０と、面部９０の上端側、下端側にそれぞれ形成した上下の被係止片９１、９２と、からなる。上側の被係止片９１は、外壁Ｗから離間する方向に水平に延出する底片９１０と、底片９１０の先端に形成された立ち上がり片９１１と、からなる。下側の被係止片９２は、水平状に延びる片である。
【００２０】
上面ケース板６は基端側（外壁Ｗに近い側）から先端側に向かって緩やかな下向き傾斜状に延びる傾斜面となっており、上面ケース板６の傾斜面の基端（外壁Ｗ側の端部）には垂直片６０が立ち上がり状に形成されている。図２に示すように、垂直片６０の上端には、水平状の下片６１０、垂直状の正面片６１１、水平状の上片６１２とから断面視略コ字状に形成された化粧片６１が設けてあり、下片６１０には排水孔６１３が形成されている。
【００２１】
シャッターケース１には、上面ケース板６０の基端側に位置して、上面ケース板６０の長さ方向に沿って延びる長尺状の補強板材１０が設けてある。補強板材１０は、上面ケース板６の垂直片６０に外壁側から重なるように当接する上側の垂直状の垂直補強片１００と、保持部材９の底片９１０上に係止する下側の垂直状の係止片１０１と、を備えている。
【００２２】
図示の態様では、上側の垂直補強片１００と下側の係止片１０１は側面視コ字形状の中間片１０２によって一体的に連結されている。側面視コ字形状の中間片１０２を設けたことで、上面ケース板６の垂直片６０に垂直補強片１００を当接させる時の位置決めを容易に行うことができる。補強板材１０は、上面ケース板６の板材より強度が大きく、典型的には上面ケース板６より肉厚が大きい板材から形成されている。補強板材１０は、水平方向に延びる長尺材ではあるが、自重では撓まないような強度を備えている。
【００２３】
補強板材１０はブラケット５に設けてある。より具体的には、補強板材１０の長さ方向のそれぞれの端部において、側面視コ字形状の中間片１０２の上片の長さ方向端部をブラケット５の上側の水平片５２上に支持させると共に、下側の係止片１０１の長さ方向端部をリベット１４によってブラケット５の基端部５０に固定してなる。図示の態様では、補強板材１０はブラケット５に設けてあるが、シャッターケース１の他の部分に設けてもよい。
【００２４】
図２に示すように、シャッターケース１が外壁Ｗに取り付けられた状態では、ブラケット５に固定された補強板材１０の係止片１０１が保持部材９の上側の被係止片９１の底片９１０の基端側に位置し、ブラケット５の下側の水平片５３が保持部材９の下側の被係止片９２上に支持され螺子１５で固定されている。補強板材１０の垂直補強片１００と外壁Ｗとの間には薄肉状に弾性変形した乾式シーリング材Ｓが挟持されており、上面ケース板６の垂直片６０、補強板材１０の垂直補強片１００、薄肉状に弾性変形した乾式シーリング材Ｓは、外壁Ｗに対して螺子１６で一体的に固定されている。このように、乾式シーリング材Ｓが上面ケース板６の外壁Ｗ側の部位（垂直片６０に当接した垂直補強片１００）と外壁Ｗとの間を塞いで防水構造を提供している。薄肉状に潰れるように弾性変形することで上方にはみ出した乾式シーリング材Ｓの上方部分は、化粧片６１によって隠蔽されるので、意匠上も良好である。
【００２５】
弾性変形前の乾式シーリング材Ｓ´は、断面視略円形状の長尺材であり、表面に粘着性を備えている。乾式シーリング材Ｓ´は、典型的にはゴム材料からなり、１つの好ましい形態では、表面に粘着性を備えたブチルゴムから形成される。乾式シーリング材Ｓ´としては様々な種類のものが当業者に知られており、薄肉状に弾性変形してシーリング機能を発揮できるものであれば、乾式シーリング材Ｓ´の材料は限定されないことが当業者に理解される。
【００２６】
弾性変形前の乾式シーリング材Ｓ´は、組み立てられたシャッターケース１に固定した補強板材１０の所定部位に位置決めして予め接着させておくことができる。あるいは、弾性変形前の乾式シーリング材Ｓ´は、外壁Ｗの所定部位に位置決めして予め接着させておくことができる。図６は、弾性変形前の乾式シーリング材Ｓ´を、外壁Ｗの所定部位に位置決めして予め接着させた状態を示している。図中、乾式シーリング材Ｓ´´は、外壁Ｗが複数枚のパネルを張設して形成される場合に、パネル間の竪目地をシールするためのものである。
【００２７】
保持部材９の上側の被係止片９１の底片９１０の寸法、すなわち外壁Ｗからの突出寸法は、補強板材１０の係止片１０１が被係止片９１の底片９１０の先端側に係止した状態で、垂直補強片１００と外壁Ｗとが離間対向するような寸法となっており、より詳しくは、垂直補強片１００と外壁Ｗとの少なくとも一方に接着される乾式シーリング材Ｓ´の直径よりも大きい距離だけ離間対向するような寸法となっている。
【００２８】
したがって、補強板材１０の係止片１０１が被係止片９１の底片９１０の先端側に係止し、垂直補強片１００と外壁Ｗの少なくともいずれか一方に乾式シーリング材Ｓ´が位置決め接着されている状態で、シャッターカーテン１の開口幅方向の位置を調整することができる。そして、補強板材１０の係止片１０１を底片９１０にガイドさせながらシャッターケース１を外壁Ｗに向かって移動させることで、乾式シーリング材Ｓ´を垂直補強片１００と外壁Ｗとの間で押し潰すようにして弾性変形させて薄肉状に弾性変形した乾式シーリング材Ｓを得ることができる。
【００２９】
本実施形態の防水構造の形成について、図７に基づいて説明する。組み立てられたシャッターケース１において、ブラケット５に固定された補強板材１０の垂直補強片１００の所定部位には断面視円形状の乾式シーリング材Ｓ´が表面の粘着性を用いて位置決め接着されている。シャッターケース１は、補強板材１０の係止片１０１を上側の被係止片９１の底片９１０の先端側に係止させ、ブラケット５の下方側に形成した水平片５３を下側の被係止片９２に載せることで仮保持状態とすることができる。シャッターケース１が仮保持状態にある時には、係止片１０１が被係止片９１の底片９１０の先端側に位置しており、垂直補強片１００と外壁Ｗとが離間対向していると共に、垂直補強片１００側の対向面に乾式シーリング材Ｓ´が接着され、乾式シーリング材Ｓ´と外壁Ｗの対向面とは離間対向している。
【００３０】
仮保持状態にあるシャッターケース１を、開口幅方向に調整して位置決めを行う。この時、補強板材１０に接着した乾式シーリング材Ｓ´と外壁Ｗとは離間しているので、乾式シーリング材Ｓ´が左右方向の位置調整の妨げとなることはない。
【００３１】
次いで、係止片１０１を水平状の底片９１０上で外壁Ｗ側にガイドさせるようにして、シャッターケース１を外壁Ｗに向かって移動させることで、垂直補強片１００の所定部位に接着されて保持された乾式シーリング材Ｓ´が垂直補強片１００と外壁Ｗの間で挟まれ、垂直補強片１００と外壁Ｗとの間で押し潰されることで、薄肉状に弾性変形される。
【００３２】
図８の態様では、断面視円形状の乾式シーリング材Ｓ´が表面の粘着性を用いて外壁Ｗの所定部位に位置決め接着されている。シャッターケース１は、補強板材１０の係止片１０１を上側の被係止片９１の底片９１０の先端側に係止させ、ブラケット５の下方側に形成した水平片５３を下側の被係止片９２に載せることで仮保持状態とすることができる。仮保持状態にあるシャッターケース１を、左右方向に調整して位置決めを行う。この時、外壁Ｗに接着した乾式シーリング材Ｓ´と垂直補強片１００とは離間しているので、乾式シーリング材Ｓ´が左右方向の位置調整の妨げとなることはない。
【００３３】
次いで、係止片１０１を水平状の底片９１０上で外壁Ｗ側にガイドさせるようにして、シャッターケース１を外壁Ｗに向かって移動させることで、外壁Ｗの所定部位に接着されて保持された乾式シーリング材Ｓ´が垂直補強片１００と外壁Ｗの間で挟まれ、垂直補強片１００と外壁Ｗとの間で押し潰されることで、薄肉状に弾性変形される。
【００３４】
図７、図８では垂直補強片１００と外壁Ｗのいずれか一方に接着保持した乾式シーリング材Ｓ´を示したが、垂直補強片１００と外壁Ｗの両方に乾式シーリング材Ｓ´を接着保持させてもよい。例えば、乾式シーリング材Ｓ´を互いに異なる高さ位置で垂直補強片１００と外壁Ｗに接着保持させて、これらを同時に押し潰すようにしてもよい。
【００３５】
図７、図８では現場でシャッターケース１を外壁Ｗに取り付ける場合について示したが、工場において、外壁を形成するパネルにシャッターケース１を先付けしてもよい。１つの態様では、水平状に設けたパネル（１つの態様では、パネルに乾式シーリング材が接着保持される）にシャッターケースを取り付けるが、その場合であっても、補強板材の係止片を上側の被係止片の底片の先端側に係止させた状態で保持し（例えば、作業者が保持する）、シャッターケースを、左右方向に調整して位置決めを行う。この時、外壁に接着した乾式シーリング材と垂直補強片とは離間しているので、乾式シーリング材が左右方向の位置調整の妨げとなることはない。次いで、係止片を底片（本態様では、垂直状に延びている）上で外壁側にガイドさせるようにして、シャッターケースを外壁Ｗに向かって下方に移動させることで、外壁の所定部位に接着されて保持された乾式シーリング材が垂直補強片と外壁の間で挟まれ、垂直補強片と外壁との間で押し潰されることで、薄肉状に弾性変形される。
【００３６】
このようにシャッターケースの外壁への取付時における、シャッターケース、外壁の空間的配向（例えば、垂直方向、水平方向）、シャッターケースを移動させて乾式シーリング材を押し潰す方向（水平方向、垂直方向）にかかわらず、保持部材の被係止片の底片がガイドとして機能する。
【００３７】
図９は、本実施形態の防水構造における雨水の排水を説明する図である。既述の通り、垂直片６０の上端には、水平状の下片６１０、垂直状の正面片６１１、水平状の上片６１２とから断面視略コ字状に形成された化粧片６１が設けてあり、下片６１０には排水孔６１３が形成されている。化粧片６１の上片６１２と外壁Ｗとの隙間から雨水が浸入し得るが、浸入した雨水は化粧片６１の下片６１０に形成した排水孔６１３から傾斜状の上面ケース板６上に排出されるので、化粧片６１の内部に雨水が溜まることが防止される。
【産業上の利用可能性】
【００３８】
本発明は、窓シャッターの防水構造に用いることができる。
【符号の説明】
【００３９】
１  シャッターケース
６  上面ケース板
６０  垂直片
９  保持部材
９１  上側の被係止片
９１０  底片
１０  補強板材
１００  垂直補強片
１０１  係止片
Ｓ  薄肉状に弾性変形した乾式シーリング材
Ｓ´  弾性変形する前（仮保持状態における）の乾式シーリング材
Ｗ  外壁
【図１】
0005623862.tif 000002
【図２】
0005623862.tif 000003
【図３】
0005623862.tif 000004
【図４】
0005623862.tif 000005
【図５】
0005623862.tif 000006
【図６】
0005623862.tif 000007
【図７】
0005623862.tif 000008
【図８】
0005623862.tif 000009
【図９】
0005623862.tif 000010
【図１０】
0005623862.tif 000011